(57)【要約】【課題】ベランダ床の側溝や傾斜に対応でき、転倒防止を図れるベランダ設置用物品収納庫を提供する。【解決手段】ベランダ手摺３の高さ以下の高さに設定された箱型の収納庫本体２と、この収納庫本体２とベランダ手摺３とを結合する連結部材４、および収納庫本体２の底面側に高さ調整可能に取り付けた脚部材５とを備えてなる。【選択図】    図２
2004267546.tif 000002
【特許請求の範囲】
【請求項１】
ベランダ手摺の高さ以下の高さに設定された箱型の収納庫本体と、この収納庫本体とベランダ手摺とを結合する連結部材、および前記収納庫本体の底面側に高さ調整可能に取り付けた脚部材とを備えていることを特徴とする、ベランダ設置用物品収納庫。
【請求項２】
前記連結部材は前記収納庫本体とベランダ手摺とを着脱可能に結合している、請求項１記載のベランダ設置用物品収納庫。
【請求項３】
前記収納庫本体の天板が収納庫本体の背面側から正面側に向けて低くなる勾配で傾斜した形に形成されている、請求項１又は２に記載のベランダ設置用物品収納庫。
【発明の詳細な説明】
【０００１】
【発明の属する技術分野】
本発明は、集合住宅等のベランダ（バルコニーを含む）に好適に設置されるベランダ設置用物品収納庫に関する。
【０００２】
【従来の技術】
一般家庭において掃除具、園芸用品、灯油、大工道具、雑具等の各種物品を収納する物品収納庫として、一般に、箱型の収納庫本体の正面開口部に開閉扉を備えたものがある（例えば、特許文献１参照。）。
【０００３】
【特許文献１】
特開２００１−２９５５４１号公報
【０００４】
【発明が解決しようとする課題】
かかる物品収納庫を集合住宅等のベランダに設置する場合、ベランダは奥行が狭く、また避難経路を確保する必要があるため、物品収納庫はこれの奥行を浅くしたうえで、できるだけベランダ手摺の内側に寄せ付けて設置することが望まれる。しかしながら、ベランダの床がこれの出っ張り側に側溝を設け、居間側から側溝に向けて低くなる勾配で傾斜していると、物品収納庫の平らな底部が前記側溝や傾斜に対応できないため、ベランダ手摺の内側にできる限りくっつけて直立姿勢にする安定状態に設置できず、転倒する危惧があった。
【０００５】
本発明は、このような問題を解消するためになされたものであり、その主目的とするところは、ベランダ床の側溝や傾斜に対応できて安定な直立姿勢に設置でき、転倒防止を図れるベランダ設置用物品収納庫を提供することにある。
【０００６】
【課題を解決するための手段】
本発明のベランダ設置用物品収納庫は、ベランダ手摺の高さ以下の高さに設定された箱型の収納庫本体と、この収納庫本体とベランダ手摺とを結合する連結部材、および前記収納庫本体の底面側に高さ調整可能に取り付けた脚部材とを備えていることに特徴を有するものである。
この場合において、前記連結部材は前記収納庫本体とベランダ手摺とを着脱可能に結合するものとすることができる。また、前記収納庫本体の天板は収納庫本体の背面側から正面側に向けて低くなる勾配で傾斜した形に形成することができる。
【０００７】
【作用】
上記構成のベランダ設置用物品収納庫は、収納庫本体をベランダ手摺に連結部材で結合して固定することにより転倒を防止できる。
収納庫本体は、高さ調整可能な脚部材を取り付けているので、ベランダの床が出っ張り側に側溝を設け、居間側から側溝に向けて低くなる勾配で傾斜している場合もその側溝や傾斜に対応すべく脚部材を高さ調整することにより、ベランダ手摺の内側にできる限り寄せ付けて安定した直立姿勢に設置することができる。しかも、ベランダの床には収納庫本体の脚部材だけが接地することになるため、排水に際し収納庫に邪魔されることなく雨水を側溝へスムーズに流すことができる。
収納庫本体はベランダ手摺の高さ以下の高さに設定して建物の外部から見えないようにしてあるので、外部からは建物の美観を損なうようなことはなく、しかも室内側からは収納庫本体の表面に心の安らぐ意匠を施しておくことで、ベランダ手摺のコンクリートの冷たいイメージから解放される。
【０００８】
収納庫本体とベランダ手摺とを連結部材により着脱可能に結合していると、物品収納庫の取り替えや配置換えが容易に行える。
【０００９】
収納庫本体の天板は収納庫本体の背面側から正面側に向けて低くなる勾配で傾斜した形に形成しておくと、天板の上に雨水が溜まるのを防止でき、また子供の転落事故防止にもなる。
【００１０】
【発明の実施の形態】
本発明の好適な実施形態を図面に基づき説明する。図１は一実施例のベランダ設置用物品収納庫を複数個並べて設置した状態の斜視図、図２はベランダ設置用物品収納庫の設置状態の側面図、図３はベランダ設置用物品収納庫の設置状態の平面図、図４は連結部材の一例を示す斜視図、図５は連結部材の他例を示す斜視図、図６は連結部材の更に他例を示す斜視図である。
【００１１】
本発明に係るベランダ設置用物品収納庫は、図１、図２に示すように、各種物品を出し入れ可能にする正面開口部１を有する箱型の収納庫本体２と、この収納庫本体２とベランダ手摺３とを結合する連結部材４、および収納庫本体２の底面側に高さ調整可能に取り付けた脚部材５とを備えている。収納庫本体２の高さはベランダ手摺３の高さ以下に設定している。
【００１２】
収納庫本体２は、図１に示すような扉仕様２１、棚仕様２２、棚とアコーディオン・カーテン仕様２３、パンチングパネル仕様２４、温室仕様２５、そのほか断熱仕様等多彩なバリエーションがある。
扉仕様２１は、正面開口部１に２枚または３枚以上の扉６をはめ込んで、ほこりや雨水の浸入を避けることができるようにした物品収納庫である。棚仕様２２は、正面開口部１に扉を付けずに前面開放型にして収納庫本体２内に棚７を付けた物品収納庫である。
棚とアコーディオン・カーテン仕様２３は、簡単に風雨をしのげるように正面開口部１にアコーディオン・カーテン８をはめ込み、収納庫本体２内に棚７を付けた物品収納庫である。パンチングパネル仕様２４は、扉６にパンチングパネルを使用してゴミ等の臭いの出る物や、玉ねぎ等の通気性が必要な物を収納するのに適した物品収納庫である。温室仕様２５は、ガラス戸９にして植物等を収納できるようにした物品収納庫である。断熱仕様は、ビール、ジュース等を収納できるよう全体を断熱構造にした物品収納庫である。これら収納庫本体２の表面意匠は木目柄等の心がやすらぐインテリア調の意匠を施すことにより生活に安らぎのあるベランダ空間を得ることができる。
【００１３】
連結部材４は収納庫本体２とベランダ手摺３とを着脱可能に結合する。連結部材４は、例えば、図３、図４に示すように、収納庫本体２の背面に幅方向に所定間隔を置いてビス等で取り付けられる左右一対の錠部材１０と、ベランダ手摺３に所定間隔を置いてビス等で固定されるアンカー金具１１により構成する。錠部材１０は錠ケース１２の側面にラッチ１３を出没自在に設け、背面にラッチ解除ボタン１４を備え、このボタン１４を押し込むことによりラッチ１３が没入するように構成している。アンカー金具１１は平面視においてコの字形状に形成され、その両側壁にラッチ１３を受け入れるラッチ受け孔１５を設けてなる。かくして、左右一対の錠部材１０を収納庫本体２の背面にビス等で取り付ける一方、アンカー金具１１をベランダ手摺３の内側に所定間隔を置いてビス等で固定したうえで、収納庫本体２をアンカー金具１１，１１間に向けて押し込むことによりラッチ１３がラッチ受け孔１５に係合して収納庫本体２とベランダ手摺３とを着脱可能に結合することができる。収納庫本体２を取り替えたり、配置換えしたりするときは収納庫本体２の内部からラッチ解除ボタン１４を押すと、ラッチ１３をラッチ受け孔１５から抜き出すことができる。
【００１４】
収納庫本体２の底面側に脚部材５を高さ調整可能に取り付ける手段としては、例えば、図２に示すように、収納庫本体２の底にネジ穴１６を設け、このネジ穴１６にボルトよりなる脚部材５の上端の雄ねじ部を任意深さにねじ込むことができ、所望深さでロックナット１７を締め付け固定できるようにする。
【００１５】
収納庫本体２の天板１８は収納庫本体２の背面側から正面側に向けて低くなる勾配で傾斜した形に形成して、天板１８上に雨水が溜まったり、子供がよじ登ったりするのを防止できるようにする。
【００１６】
収納庫本体２のサイズは、例えば、高さはベランダ手摺３の高さ以下で９００〜１３００ｍｍ、奥行は２５０〜４００ｍｍ位に浅く、幅は９００ｍｍ位に設定する。
【００１７】
このように構成されたベランダ設置用物品収納庫はベランダ手摺３の内側に連結部材４で結合することによって固定されるので、強風や地震等により転倒するのを防止できる。
【００１８】
図２のようにベランダ床１９が出っ張り側に側溝２０を有し、居間側からこの側溝２０に向けて低くなる勾配θで傾斜していても、その側溝２０やベランダ床１０の傾斜に対応すべく脚部材５を高さ調整することによりベランダ設置用物品収納庫はベランダ手摺３の内側にできる限り寄せ付けて安定した直立姿勢に設置することができる。ベランダ手摺３の高さ以下の高さに設定してあるので、建物の外部から見て美観を損なうようなこともない。ベランダ設置用物品収納庫は奥行が浅く、ベランダ手摺３の内側にできる限りくっつけて設置できるので、避難通路幅を確保でき、またベランダに洗濯物等を干すときに邪魔になるようなこともない。
【００１９】
ベランダ設置用物品収納庫はベランダ手摺３の内側に一つだけ設置する以外に、図１に示すごとく多彩なバリエーションの物品収納庫を２つ以上見映えよく並べて設置することができる。図１のようにベランダ設置用物品収納庫は多数並べて設置することにより一体化するので違和感がなく見栄えが良くなる。
ベランダ設置用物品収納庫の配置換えや取換えに際しても、その物品収納庫はベランダ手摺３から連結部材４を介して取り外すことによりその取り替えや配置換えを容易に行なうことができる。
【００２０】
連結部材４のアンカー金具１１において、ベランダ手摺３のコンクリート壁部にアンカー金具１１が打てない場合には、図５に示すように、ベランダ手摺３のコンクリート壁部３ａの上端部内面側に縦方向に沿う形の断面形状に形成したアンカー金具支持部材２１を用意し、この支持部材２１の下端にアンカー金具１１をビス止め等で結合するか又は支持部材２１の下端にアンカー金具１１を一体に形成し、支持部材２１の上端部に設けた切欠による係合部２１ａを、ベランダ手摺３のコンクリート壁部３ａの上端に植設した手摺部３ｂの縦桿３ｃに引っ掛けて固定する。なお、アンカー金具支持部材２１の係合部２１ａが切欠により構成され、この切欠の開放口が縦桿３ｃから外れるおそれがある場合は支持部材２１の上端に前記切欠の開放口を開閉自在とするロックプレート２６を軸２７回りに回動・固定自在に取り付ける。
【００２１】
また、ベランダ手摺３がコンクリート製のものでなく、図６に示すごとき金属製の縦横桟２２，２３により構成されるものである場合には、同図に示すように、縦桟２２の任意高さ位置にこの外側から嵌合できるように断面ハット形状に形成された固定金具２４を用意し、この固定金具２４とアンカー金具１１で縦桟２２を挟持するとともに、両金具２４，１１をビス２５等で一体的に結合することによりアンカー金具１１が縦桟２２に固定されるようにする。
【００２２】
【発明の効果】
本発明のベランダ設置用物品収納庫によれば、ベランダ手摺の高さ以下の高さに設定された箱型の収納庫本体と、この収納庫本体とベランダ手摺とを結合する連結部材、および収納庫本体の底面側に高さ調整可能に取り付けた脚部材とを備えているので、ベランダ床の側溝や傾斜に対応でき、転倒防止を図れ、建物の外部から見て美観を損なうことなく設置できる等の利点がある。
【図面の簡単な説明】
【図１】一実施例のベランダ設置用物品収納庫を複数個並べて設置した状態の斜視図である。
【図２】ベランダ設置用物品収納庫の設置状態の側面図である。
【図３】ベランダ設置用物品収納庫の設置状態の平面図である。
【図４】連結部材の一例を示す斜視図である。
【図５】連結部材の他例を示す斜視図である。
【図６】連結部材の更に他例を示す斜視図である。
【符号の説明】
１  正面開口部
２  収納庫本体
３  ベランダ手摺
４  連結部材
５  脚部材
１８  天板
【図１】
2004267546.tif 000003
【図２】
2004267546.tif 000004
【図３】
2004267546.tif 000005
【図４】
2004267546.tif 000006
【図５】
2004267546.tif 000007
【図６】
2004267546.tif 000008